(57)【要約】【課題】プラスチック製気泡シートの気泡部をつぶした際における娯楽性を向上させることができるアミューズメント装置を提供する。【解決手段】プラスチック製気泡シートの破裂音を検出可能な音センサ部と、映像情報を記憶可能な映像記憶部と、ユーザの頭部に装着され、ユーザの現実の視野に映像情報を重ねた状態でユーザが視認できるように、映像情報を表示可能な映像表示部と、音センサ部によりプラスチック製気泡シートの破裂音が検出された場合に、映像記憶部に記憶された映像情報を映像表示部に表示させる制御部とを設ける。【選択図】　　　　図１
2004113479.tif 000002
【特許請求の範囲】
【請求項１】
プラスチック製気泡シートの破裂音を検出可能な音センサ部と、
映像情報を記憶可能な映像記憶部と、
ユーザの頭部に装着され、前記ユーザの現実の視野に前記映像情報を重ねた状態で前記ユーザが視認できるように、前記映像情報を表示可能な映像表示部と、
前記音センサ部により前記プラスチック製気泡シートの破裂音が検出された場合に、前記映像記憶部に記憶された映像情報を前記映像表示部に表示させる制御部とを備えることを特徴とするアミューズメント装置。
【請求項２】
音発生手段または香り発生手段の少なくとも一方を備えることを特徴とする請求項１に記載のアミューズメント装置。
【請求項３】
前記映像情報記憶部は複数の映像情報を記憶しており、
前記制御部は、所定条件に基づいて前記複数の映像情報から所定の映像情報を選択し、前記所定の映像情報を前記映像表示部に表示させることを特徴とする請求項１または２に記載のアミューズメント装置。
【請求項４】
前記所定条件は、前記プラスチック製気泡シートの破裂音の大きさであることを特徴とする請求項３に記載のアミューズメント装置。
【発明の詳細な説明】
【０００１】
【発明の属する技術分野】
本発明は、ユーザに娯楽を提供するアミューズメント装置に関する。
【０００２】
【従来の技術】
従来より、多数の凹凸状突起部が形成された凹凸状シートに平坦状シートを接合した合成樹脂製気泡シートが知られている。合成樹脂製気泡シートには、ガスが密閉された多数の気泡部が形成され緩衝効果に優れているため、主に梱包材として用いられている。
【０００３】
また、プラスチック製気泡シートの気泡部はつぶれる際に破裂音が発生するため、上記梱包材としての用途の他、指でつぶして破裂音を楽しむという用途がある。このような用途として、例えば老人の指先を使ったリハビリ用あるいは幼児の遊び道具として用いられる。
【０００４】
【発明が解決しようとする課題】
ところが、現状の合成樹脂製気泡シートでは、気泡部をつぶす際に音が発生するだけであり、気泡部をつぶすことで発生する現象が単調となり娯楽性に欠ける場合があった。
【０００５】
本発明は、上記点に鑑み、プラスチック製気泡シートの気泡部をつぶした際における娯楽性を向上させることができるアミューズメント装置を提供することを目的とする。
【０００６】
【課題を解決するための手段】
上記目的を達成するため、請求項１に記載の発明では、プラスチック製気泡シートの破裂音を検出可能な音センサ部と、映像情報を記憶可能な映像記憶部と、ユーザの頭部に装着され、ユーザの現実の視野に映像情報を重ねた状態でユーザが視認できるように、映像情報を表示可能な映像表示部と、音センサ部によりプラスチック製気泡シートの破裂音が検出された場合に、映像記憶部に記憶された映像情報を映像表示部に表示させる制御部とを備えることを特徴としている。
【０００７】
これにより、ユーザはプラスチック製気泡シートをつぶすと、破裂音に加えて視覚的に映像を楽しむことができ、プラスチック製気泡シートの気泡部をつぶした際における娯楽性を向上させることができる。
【０００８】
また、請求項２に記載の発明では、音発生手段または香り発生手段の少なくとも一方を備えることを特徴としている。これにより、プラスチック製気泡シートの気泡部をつぶした際における娯楽性をより向上させることができる。
【０００９】
また、請求項３に記載の発明のように、映像情報記憶部は複数の映像情報を記憶しており、制御部は、所定条件に基づいて複数の映像情報から所定の映像情報を選択し、所定の映像情報を映像表示部に表示させるように構成することもでき、請求項４に記載の発明のように、所定条件はプラスチック製気泡シートの破裂音の大きさとすることができる。
【００１０】
【発明の実施の形態】
以下、本発明の第一実施形態について図１〜図３に基づいて説明する。
【００１１】
図１は、本実施形態のアミューズメント装置の全体構成を示すブロック図である。図１に示すように、アミューズメント装置は、映像表示部１０、音センサ部２０、映像情報記憶部３０、制御部４０を備えている。本実施形態では、映像表示部１０はユーザの頭部に装着して使用される。また、音センサ部２０、映像情報記憶部３０、制御部４０は一体的に構成され、図示を省略しているが、例えば腕輪型のハウジングに内蔵して、ユーザの手首に装着して用いることができる。
【００１２】
図２は、映像表示部１０の装着状態を示す斜視図である。図２に示すように、映像表示部１０は、ユーザの頭部に眼鏡のように装着して使用するヘッドマウントディスプレイ（ＨＭＤ）として構成されている。映像表示部１０は、液晶表示部（ＬＣＤ）、バックライト、表示駆動回路等を備えている。後述の制御部４０より送信される映像情報は、表示駆動回路で処理され液晶表示部に表示される。本実施形態の映像表示部１０は光学シースルー方式を採用しており、ユーザは現実の視野に液晶表示部に表示される画像を重ねて見ることができる。
【００１３】
図１に戻り、音センサ部２０は、プラスチック製気泡シートをつぶす際の破裂音を検出するものであり、音の周波数特性（ヘルツ）とその大きさ（デシベル）を検出することができる音センサから構成されている。音センサ部２０のセンサ信号は、後述の制御部４０に出力される。この音センサ部２０は、ユーザがプラスチック製気泡シートの気泡部を手でつぶした際の破裂音を検出するために、ユーザの手の近傍に配置する必要がある。なお、本実施形態では、音センサ２０にて検出する周波数特性によりプラスチック製気泡シートの破裂音を検出している。
【００１４】
図３はプラスチック製気泡シートの斜視図である。図３に示すように、プラスチック製気泡シート５０は平坦状シート５１と凹凸状シート５２を張り合わせたものであり、凹凸状シート５２の凸部と平坦状シート５１との間には空気が封入され、気泡部５３を構成している。この気泡部５３をつぶす際に破裂音が発生する。
【００１５】
図１に戻り、映像情報記憶部３０は、映像情報を記憶している。映像情報記憶部３０としては、例えばハードディスクやＲＯＭを用いることができる。映像情報記憶部３０に記憶しておく映像情報は任意に選択でき、動画あるいは静止画のいずれでもよい。例えばユーザが好きな映像や心地よいと感じる映像（花火が上がる映像、ノスタルジックな風景が現れる映像等）を複数記憶させておくことができる。
【００１６】
制御部４０は、ＣＰＵを備えたコントロールユニットであり、音センサ１０からのセンサ信号がプラスチック製気泡シート５０の破裂音であった場合には、映像記憶部３０に記憶された映像を映像表示部１０に送信し、映像表示部１０に表示させる。このとき、破裂音の発生により映像表示部１０に表示させる映像の内容を、所定条件に基づいて変化させてもよい。この所定条件は、例えば破裂音の大きさ（強弱）、破裂音が発生するリズム、破裂音が発生した時間帯、季節等とすることができる。
【００１７】
上記構成のアミューズメント装置は、以下のように作動する。まず、ユーザがプラスチック製気泡シート５０の気泡部５３を手でつぶすと、この破裂音は音センサ２０にて検出される。音センサ２０のセンサ信号は制御部４０に出力され、制御部４０では音センサ２０からのセンサ信号に基づいて、映像記憶部３０に記憶された映像を読み出し、映像表示部１０に送信する。映像表示部１０では、制御部４０から送信された映像が表示される。
【００１８】
これにより、ユーザはプラスチック製気泡シート５０の気泡部５３を手でつぶすことで、破裂音に加えて視覚的に映像を楽しむことができ、プラスチック製気泡シートの気泡部をつぶした際における娯楽性を向上させることができる。
【００１９】
（他の実施形態）
なお、上記実施形態では、音センサ部２０、映像記憶部３０、制御部４０を一体的に構成したが、これに限らず少なくとも音センサ部２０をユーザの手の近傍に配置し、映像記憶部３０および制御部４０は他の部位（例えば腰）に装着するように構成してもよい。
【００２０】
また、上記実施形態では、映像表示部１０は光学シースルー方向のヘッドマウントディスプレイを用いたが、これに限らず、ビデオシースルー方式のヘッドマウントディスプレイを用いてもよい。
【００２１】
また、上記実施形態では、プラスチック製気泡シート５０の破裂音に基づいてユーザが映像を見ることができるように構成したが、映像に加え、プラスチック製気泡シート５０の破裂音に基づいて例えば音や香りが発生するように構成することができる。
【００２２】
音を出力する場合には、アミューズメント装置に音発生部（音発生手段）を設ける。音発生部は、デジタル形式の音データを記憶する音データ記憶部、Ｄ／Ａ変換部、アンプ部、スピーカ部から構成される。そして、音センサによりプラスチック製気泡シート５０の破裂音を検出したら、音データ記憶部に記憶された音データを読み出してＤ／Ａ変換部にてＤ／Ａ変換し、変換されたアナログ信号をアンプ部で増幅し、スピーカから出力する。なお、音データ記憶部に複数種類の音データを記憶しておき、出力する音を所定条件に基づいて変化させてもよい。
【００２３】
香りを出力する場合には、アミューズメント装置に香り発生部（香り発生手段）を設ける。香り発生部は、香り源（例えば香水）が貯蔵された香り源貯蔵部と、香り貯蔵部を開閉する開閉弁からなる。そして、音センサによりプラスチック製気泡シートの破裂音を検出したら、香り貯蔵部の開閉弁を開放する。これにより、香り源が蒸発して香りが発生する。なお、香り貯蔵部に、複数種類の香り源を貯蔵しておき、発生させる香りを所定条件に基づいて変化させてもよい。
【図面の簡単な説明】
【図１】上記実施形態のアミューズメント装置の構成を示すブロック図である。
【図２】映像表示部の装着状態を示す斜視図である。
【図３】プラスチック製気泡シートの斜視図である。
【符号の説明】
１０…映像表示部、２０…音センサ部、３０…映像情報記憶部、４０…制御部、５０…プラスチック製気泡シート。
【図１】
2004113479.tif 000003
【図２】
2004113479.tif 000004
【図３】
2004113479.tif 000005